(57)【要約】【課題】移動端末試験装置と移動端末間のスループットの低下や不安定化を防ぐことができる移動端末試験装置を提供すること。【解決手段】データサーバ４と接続され、データサーバ４の送信データを移動端末３に送信して移動端末３との間のスループット計測の試験を行なう場合、データサーバ４の送信データを一時的に蓄積するデータバッファ１１２と、データバッファ１１２のデータ蓄積量を監視するバッファコントローラ１１３と、データバッファ１１２のデータ蓄積量がフロー制御閾値を超えたときにデータサーバ４のデータ送信を止めさせるフロー制御コントローラ１１４と、移動端末３との間の目標のスループットに対応したフロー制御閾値を計算してバッファコントローラ１１３に送信するフロー制御閾値計算部１１６と、を備える。【選択図】図１
2017112517.tif 000002
【特許請求の範囲】
【請求項１】
移動体通信の基地局を擬似して移動端末（３）を試験する移動端末試験装置（１）であって、
データサーバ（４）と接続され、前記データサーバの送信データを前記移動端末に送信して前記移動端末との間のスループット計測の試験を行なう場合、
前記データサーバの送信データを一時的に蓄積するデータバッファ（１１２）と、
前記データバッファのデータ蓄積量を監視するバッファコントローラ（１１３）と、
前記データバッファのデータ蓄積量がフロー制御閾値を超えたときに前記データサーバのデータ送信を止めさせるフロー制御コントローラ（１１４）と、
前記移動端末との間の目標のスループットに対応した前記フロー制御閾値を計算して前記バッファコントローラに送信するフロー制御閾値計算部（１１６）と、を備える移動端末試験装置。
【請求項２】
前記移動端末における無線信号の受信状態を検出して、前記移動端末における無線信号の受信状態に応じて前記移動端末との間のスループットを変更させる制御部（１２）を備え、
前記フロー制御閾値計算部は、変更された前記移動端末との間のスループットに応じて、前記フロー制御閾値を変更する請求項１に記載の移動端末試験装置。
【請求項３】
前記制御部は、前記移動端末との送受信の周波数帯域が同一帯域で行なわれている場合、前記移動端末からの無線信号の受信状態により前記移動端末における無線信号の受信状態を検出する請求項２に記載の移動端末試験装置。
【請求項４】
外部からの前記移動端末との間のスループットの変更要求を受信すると、前記変更要求に従って前記移動端末との間のスループットを変更させる制御部（１２）を備え、
前記フロー制御閾値計算部は、変更された前記移動端末との間のスループット応じて、前記フロー制御閾値を変更する請求項１に記載の移動端末試験装置。
【請求項５】
移動体通信の基地局を擬似して移動端末（３）を試験する移動端末試験装置（１）がデータサーバ（４）と接続されて前記移動端末との間のスループット計測の試験を行なう場合の前記データサーバの送信データを一時的に蓄積するデータバッファ（１１２）のデータ蓄積量に基づいて前記データサーバとの通信でフロー制御を行なうか否かを決定するためのフロー制御閾値の設定方法であって、
前記移動端末との間の目標のスループットを設定するステップと、
前記移動端末との間の目標のスループットに対応した前記フロー制御閾値を計算して設定するステップと、を備えるフロー制御閾値の設定方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
このような試験装置において、移動体通信端末との間で送受信されるデータの単位時間当たりの転送量（スループット）を計測する試験がある。
【０００４】
特許文献１には、移動体通信端末との間のスループットを計測して表示する試験装置が開示されている。
【先行技術文献】
【特許文献】
【０００５】
【特許文献１】特許第４９５１００７号公報
【発明の概要】
【発明が解決しようとする課題】
【０００６】
スループットを計測する試験において、データを移動体通信端末に送信するデータサーバを用いて、試験を行なう場合がある。
【０００７】
このような試験において、試験装置は、データサーバとの間の通信速度と、移動体通信端末との間の通信速度の違いを吸収するため、データサーバから送信されたデータを一時蓄積するバッファを設けている。
【０００８】
このバッファには、バッファオーバーフローを防ぐためにフロー制御閾値が設定され、試験装置は、バッファに蓄積されているデータ量がフロー制御閾値を超えると、フロー制御によりデータサーバのデータ送信を停止させ、データ量がフロー制御閾値以下になると、フロー制御によりデータサーバのデータ送信を再開させる。
【０００９】
しかしながら、試験装置と移動体通信端末間のデータ送信速度に対してフロー制御閾値が大きすぎると、バッファにデータが蓄積される間、バッファからのデータ読み出しが待たされ、データサーバから移動体通信端末までのデータの到達時間が長くなり、ＴＣＰ（Transmission Control Protocol）などを使用している通信の試験の場合、再送などが行なわれスループットが低下する。
【００１０】
逆に、フロー制御閾値が小さいと、移動体通信端末への送信は一定時間ごとに行なわれるので、１回の送信データ量が少なくなり、目的のスループットを達成することができない。
【００１１】
そこで、本発明は、移動端末試験装置と移動端末間の目標のスループットに対応した閾値を自動的に設定することにより、移動端末試験装置と移動端末間のスループットの低下や不安定化を防ぐことができる移動端末試験装置を提供することを目的としている。
【課題を解決するための手段】
【００１２】
本発明の移動端末試験装置は、移動体通信の基地局を擬似して移動端末を試験する移動端末試験装置であって、データサーバと接続され、前記データサーバの送信データを前記移動端末に送信して前記移動端末との間のスループット計測の試験を行なう場合、前記データサーバの送信データを一時的に蓄積するデータバッファと、前記データバッファのデータ蓄積量を監視するバッファコントローラと、前記データバッファのデータ蓄積量がフロー制御閾値を超えたときに前記データサーバのデータ送信を止めさせるフロー制御コントローラと、前記移動端末との間の目標のスループットに対応した前記フロー制御閾値を計算して前記バッファコントローラに送信するフロー制御閾値計算部と、を備えるものである。
【００１３】
この構成により、移動端末との間の目標のスループットに応じてデータバッファのフロー制御閾値が計算される。このため、移動端末との間のスループットの低下や不安定化を防ぐことができる。
【００１４】
また、本発明の移動端末試験装置において、前記移動端末における無線信号の受信状態を検出して、前記移動端末における無線信号の受信状態に応じて前記移動端末との間のスループットを変更させる制御部を備え、前記フロー制御閾値計算部は、変更された前記移動端末との間のスループットに応じて、前記フロー制御閾値を変更するものである。
【００１５】
この構成により、移動端末における無線信号の受信状態に応じて移動端末との間のスループットが変更され、変更されたスループットに応じてフロー制御閾値が変更される。このため、移動端末との間のスループットの低下や不安定化を防ぐことができる。
【００１６】
また、本発明の移動端末試験装置において、前記制御部は、前記移動端末との送受信の周波数帯域が同一帯域で行なわれている場合、前記移動端末からの無線信号の受信状態により前記移動端末における無線信号の受信状態を検出するものである。
【００１７】
この構成により、移動端末からの無線信号の受信状態により移動端末における無線信号の受信状態が検出される。このため、移動端末からの受信状態の通知が無くても移動端末における無線信号の受信状態を検出して、移動端末との間のスループットの低下や不安定化を防ぐことができる。
【００１８】
また、本発明の移動端末試験装置において、外部からの前記移動端末との間のスループットの変更要求を受信すると、前記変更要求に従って前記移動端末との間のスループットを変更させる制御部を備え、前記フロー制御閾値計算部は、変更された前記移動端末との間のスループット応じて、前記フロー制御閾値を変更するものである。
【００１９】
この構成により、外部からの要求により移動端末との間のスループットが変更され、変更されたスループットに応じてフロー制御閾値が変更される。このため、移動端末との間のスループットの低下や不安定化を防ぐことができる。
【００２０】
また、本発明のフロー制御閾値の設定方法は、移動体通信の基地局を擬似して移動端末を試験する移動端末試験装置がデータサーバと接続されて前記移動端末との間のスループット計測の試験を行なう場合の前記データサーバの送信データを一時的に蓄積するデータバッファのデータ蓄積量に基づいて前記データサーバとの通信でフロー制御を行なうか否かを決定するためのフロー制御閾値の設定方法であって、前記移動端末との間の目標のスループットを設定するステップと、前記移動端末との間の目標のスループットに対応した前記フロー制御閾値を計算して設定するステップと、を備えるものである。
【００２１】
この構成により、移動端末との間の目標のスループットに応じてデータバッファのフロー制御閾値が計算される。このため、移動端末との間のスループットの低下や不安定化を防ぐことができる。
【発明の効果】
【００２２】
本発明は、移動端末試験装置と移動端末間のスループットの低下や不安定化を防ぐことができる移動端末試験装置を提供することができる。
【図面の簡単な説明】
【００２３】
【図１】図１は、本発明の一実施形態に係る移動端末試験装置のブロック図である。
【図２】図２は、本発明の一実施形態に係る移動端末試験装置の無線レート管理テーブルの例を示す図である。
【発明を実施するための形態】
【００２４】
以下、図面を参照して、本発明の実施形態に係る移動端末試験装置について詳細に説明する。
【００２５】
図１において、本発明の一実施形態に係る移動端末試験装置１は、擬似基地局として同軸ケーブル等を介して有線で移動端末３と無線信号を送受信するようになっている。移動端末試験装置１は、制御装置２に接続され、制御装置２の制御信号に従って試験を実行するようになっている。
【００２６】
移動端末試験装置１は、データサーバ４と、例えば、イーサネット（登録商標）やＵＳＢ（Universal Serial Bus）などのインターフェイスで接続され、疑似基地局としてデータサーバ４と移動端末３とのデータ通信の中継を行ない、スループットなどを測定する。
【００２７】
移動端末試験装置１は、無線信号処理部１０と、データ通信制御部１１と、制御部１２とを含んで構成されている。
【００２８】
無線信号処理部１０は、移動端末３との間で無線信号を送受信するものである。無線信号処理部１０は、制御部１２やデータ通信制御部１１の送信データを、符号化や、変調、周波数変換などして無線信号を生成して送信する。また、無線信号処理部１０は、移動端末３から受信した無線信号を、周波数変換や、復調、復号などして制御部１２やデータ通信制御部１１に出力する。
【００２９】
無線信号処理部１０は、チャネルコーディング部１０１と、アップコンバータ部１０２と、ダウンコンバータ部１０３と、チャネルデコーディング部１０４とを含んで構成されている。
【００３０】
チャネルコーディング部１０１は、制御部１２やデータ通信制御部１１の送信データを、符号化、変調してＩＱ信号を出力する。
【００３１】
チャネルコーディング部１０１は、データ通信制御部１１のデータバッファ１１２からデータを読み出して処理を行なう。チャネルコーディング部１０１は、予め設定されたデータ量を所定の時間間隔でデータバッファ１１２から読み出して処理してもよいし、予め設定された時間間隔で所定のデータ量をデータバッファ１１２から読み出して処理してもよい。
【００３２】
チャネルコーディング部１０１は、制御部１２の出力する呼制御信号を移動端末３との間で決められたプロトコルに従って処理して出力する。
【００３３】
チャネルコーディング部１０１は、制御部１２から通知されるパラメータ値から移動端末試験装置１と移動端末３との間の目標のデータ転送速度（無線レート）を計算し、データバッファ１１２からデータを読み出す時間間隔、または、データバッファ１１２から読み出すデータ量を算出する。
【００３４】
チャネルコーディング部１０１は、例えば、図２に示すような無線レート管理テーブルに基づいてパラメータ値から無線レートを求める。
【００３５】
チャネルコーディング部１０１は、予め設定されたデータ量を所定の時間間隔でデータバッファ１１２から読み出して処理する場合、無線レートからデータバッファ１１２からデータを読み出す時間間隔を計算し、その時間間隔でデータバッファ１１２からデータを読み出して処理する。
【００３６】
チャネルコーディング部１０１は、予め設定された時間間隔で所定のデータ量をデータバッファ１１２から読み出して処理する場合、無線レートからデータバッファ１１２から読み出すデータ量を計算し、そのデータ量でデータバッファ１１２からデータを読み出して処理する。
【００３７】
アップコンバータ部１０２は、チャネルコーディング部１０１の出力するＩＱ信号をアップコンバート（周波数変換）して無線信号に変換し、移動端末３に送信する。
【００３８】
ダウンコンバータ部１０３は、移動端末３から受信した無線信号をダウンコンバート（周波数変換）してＩＱ信号に変換して出力する。
【００３９】
チャネルデコーディング部１０４は、ダウンコンバータ部１０３の出力するＩＱ信号を復調、復号して制御部１２に出力する。
【００４０】
データ通信制御部１１は、ホスト装置の移動端末試験装置１に接続されたデータサーバ４と移動端末３との間のデータ通信の中継を行なう。
【００４１】
データ通信制御部１１は、データ受信処理部１１１と、データバッファ１１２と、バッファコントローラ１１３と、フロー制御コントローラ１１４と、無線レート計算部１１５と、フロー制御閾値計算部１１６とを含んで構成されている。
【００４２】
データ受信処理部１１１は、データサーバ４が送信するデータを受信する。データ受信処理部１１１は、データサーバ４から受信したデータをデータバッファ１１２に蓄積する。
【００４３】
データバッファ１１２は、データサーバ４の送信データを一時的に蓄積する。データバッファ１１２は、データを蓄積する書込処理と、データを読み出す読出処理と、を行なうことができる。データバッファ１１２は、例えば、データがどこまで書き込まれているかを示す書込位置と、データがどこまで読み出されたかを示す読出位置と、が管理され、バッファコントローラ１１３に通知される。
【００４４】
バッファコントローラ１１３は、データバッファ１１２に蓄積されているデータ量を監視し、データバッファ１１２に蓄積されているデータ量に応じてフロー制御コントローラ１１４にフロー制御の有効または無効を要求する。
【００４５】
バッファコントローラ１１３は、データバッファ１１２の書込位置及び読出位置からデータバッファ１１２に蓄積されているデータ量を検出する。バッファコントローラ１１３は、データバッファ１１２の蓄積データ量がフロー制御閾値を超えると、フロー制御コントローラ１１４に「フロー制御有効」を設定したフロー制御要求を送信する。
【００４６】
バッファコントローラ１１３は、データバッファ１１２の蓄積データ量がフロー制御閾値以下になると、フロー制御コントローラ１１４に「フロー制御無効」を設定したフロー制御要求を送信する。
【００４７】
フロー制御コントローラ１１４は、データサーバ４とのデータ通信のフロー制御を制御する。フロー制御コントローラ１１４は、バッファコントローラ１１３から「フロー制御有効」が設定されたフロー制御要求を受信すると、データサーバ４とのフロー制御によりデータサーバ４のデータ送信を止めさせる。
【００４８】
フロー制御コントローラ１１４は、バッファコントローラ１１３から「フロー制御無効」が設定されたフロー制御要求を受信すると、データサーバ４とのフロー制御によりデータサーバ４のデータ送信を再開させる。
【００４９】
例えば、データサーバ４と移動端末試験装置１との間のインターフェイスがイーサネット（登録商標）である場合、フロー制御コントローラ１１４は、バッファコントローラ１１３から「フロー制御有効」が設定されたフロー制御要求を受信すると、中断時間に所定の時間を設定したPAUSEフレームを送信する。
【００５０】
そして、フロー制御コントローラ１１４は、バッファコントローラ１１３から「フロー制御無効」が設定されたフロー制御要求を受信すると、中断時間にゼロを設定したPAUSEフレームを送信する。
【００５１】
無線レート計算部１１５は、制御部１２から通知されるパラメータ値から移動端末試験装置１と移動端末３との間の目標のデータ転送速度（無線レート）を計算し、フロー制御閾値計算部１１６に送信する。
【００５２】
無線レート計算部１１５は、例えば、図２に示すような無線レート管理テーブルに基づいてパラメータ値から無線レートを求める。
【００５３】
フロー制御閾値計算部１１６は、無線レート計算部１１５から受信した無線レートからフロー制御閾値を計算し、バッファコントローラ１１３に送信する。
【００５４】
フロー制御閾値計算部１１６は、以下の式（１）によりフロー制御閾値を計算する。
フロー制御閾値（ｂｙｔｅ）＝無線レート（ｂｐｓ）×滞留時間（ｓ）÷８ ...（１）
滞留時間は、チャネルコーディング部１０１がデータバッファ１１２からデータを読み出す時間間隔である。
【００５５】
例えば、無線レートが１５０Ｍｂｐｓ、滞留時間が１ｍｓの場合、フロー制御閾値は、１８７５０ｂｙｔｅとなる。
【００５６】
制御部１２は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００５７】
制御部１２のＲＯＭ及びハードディスク装置には、各種制御定数や各種マップ等とともに、当該コンピュータユニットを制御部１２として機能させるためのプログラムが記憶されている。すなわち、ＣＰＵがＲＯＭ及びハードディスク装置に記憶されたプログラムを実行することにより、当該コンピュータユニットは、制御部１２として機能する。
【００５８】
制御部１２の入出力ポートには、データ通信制御部１１、無線信号処理部１０が接続され、制御部１２と信号の送受信をできるようになっている。
【００５９】
制御部１２は、制御装置２からの制御信号を受け取って、制御信号の内容に従って無線信号処理部１０やデータ通信制御部１１を制御して試験を実行する。制御部１２は、無線信号処理部１０を介して移動端末３と呼制御信号を送受信して、呼の接続や切断、ハンドオーバーなどを制御する。
【００６０】
制御部１２は、制御装置２から受信した無線レートのパラメータ値をチャネルコーディング部１０１及び無線レート計算部１１５に送信する。
【００６１】
制御部１２は、移動端末３から受信した呼制御信号に基づいて、移動端末３からの要求や、移動端末３の受信状態、移動端末３と移動端末試験装置１との通信プロトコルの変更、などに応じて無線レートを変更する。制御部１２は、無線レートを変更する場合、新しい無線レートに対応したパラメータ値をチャネルコーディング部１０１及び無線レート計算部１１５に送信する。
【００６２】
移動端末３と移動端末試験装置１の送受信の周波数帯域が同一帯域で行なわれている場合、制御部１２は、チャネルデコーディング部１０４での受信状況に応じて無線レートを変更するようにしてもよい。
【００６３】
なお、本実施形態において、データ通信制御部１１は、各処理を実行するようにプログラミングされたＤＳＰ（Digital Signal Processor）等のプロセッサによって構成されている。また、無線信号処理部１０は、通信モジュールによって構成されている。
【００６４】
制御装置２は、移動端末試験装置１と、例えば、イーサネット（登録商標）やＵＳＢなどのインターフェイスで接続される。制御装置２は、このインターフェイスを介して制御信号を移動端末試験装置１に送信して、移動端末試験装置１を制御する。制御装置２は、パソコンなどによって構成される。
【００６５】
制御装置２は、試験条件の設定画面や移動端末試験装置１の測定結果などを表示する表示部２１と、ユーザからの操作入力を受け付ける操作部２２とを含んで構成されている。表示部２１は、液晶表示装置などによって構成される。操作部２２は、タッチパッドやキーボードやプッシュボタンなどによって構成される。
【００６６】
制御装置２は、例えば、表示部２１に表示させたパラメータ設定画面に従って、操作部２２の操作によって設定された試験条件に基づいて、移動端末３と移動端末試験装置１間の無線レートを算出して、この無線レートに対応したパラメータ値を移動端末試験装置１に送信する。
【００６７】
制御装置２は、試験途中に操作部２２の操作により無線レートの変更が要求された場合、新しい無線レートに対応したパラメータ値を移動端末試験装置１に送信する。
【００６８】
移動端末試験装置１の制御部１２は、制御装置２から無線レートのパラメータ値を受信すると、受信したパラメータ値をチャネルコーディング部１０１及び無線レート計算部１１５に送信する。
【００６９】
チャネルコーディング部１０１は、受信したパラメータ値に対応した無線レートに基づいて、移動端末３へのデータ送信間隔とデータバッファ１１２からの読み出しデータ量を決め、それに従って移動端末３への送信処理を行なう。
【００７０】
無線レート計算部１１５は、受信したパラメータ値に対応した無線レートをフロー制御閾値計算部１１６に送信する。
【００７１】
フロー制御閾値計算部１１６は、無線レート計算部１１５から受信した無線レートに基づいて、上述の式（１）によりフロー制御閾値を計算し、バッファコントローラ１１３に送信する。
【００７２】
バッファコントローラ１１３は、フロー制御閾値計算部１１６から受信したフロー制御閾値に基づいて、データバッファ１１２のデータ蓄積量がフロー制御閾値を超えると、フロー制御コントローラ１１４に「フロー制御有効」を設定したフロー制御要求を送信する。
【００７３】
その後、データバッファ１１２のデータ蓄積量がフロー制御閾値以下になると、バッファコントローラ１１３は、フロー制御コントローラ１１４に「フロー制御無効」を設定したフロー制御要求を送信する。
【００７４】
フロー制御コントローラ１１４は、バッファコントローラ１１３から「フロー制御有効」が設定されたフロー制御要求を受信すると、データサーバ４とのフロー制御によりデータサーバ４のデータ送信を止める。
【００７５】
フロー制御コントローラ１１４は、バッファコントローラ１１３から「フロー制御無効」が設定されたフロー制御要求を受信すると、データサーバ４とのフロー制御によりデータサーバ４のデータ送信を再開させる。
【００７６】
このように、移動端末試験装置１と移動端末３の間の目標の無線レートに適したフロー制御閾値が設定され、このフロー制御閾値に基づいてデータサーバ４からのデータ送信が制御される。このため、移動端末試験装置と移動端末間のスループットの低下や不安定化を防ぐことができる。
【００７７】
また、制御装置２の操作部２２の操作により無線レートの変更が要求されると、試験途中でも移動端末試験装置１と移動端末３の間の無線レートを変更することができる。
【００７８】
制御部１２は、例えば、移動端末３から受信した呼制御信号の移動端末３での受信状態を示すパラメータを解析し、移動端末３の受信状態に適した無線レートに変更することができる。
【００７９】
制御部１２は、移動端末３の受信状態に適した無線レートを計算し、求めた無線レートに対応するパラメータ値をチャネルコーディング部１０１及び無線レート計算部１１５に送信する。
【００８０】
チャネルコーディング部１０１は、上述の場合と同様に、受信したパラメータ値に対応したデータ送信間隔と読み出しデータ量で移動端末３への送信処理を行なう。
【００８１】
無線レート計算部１１５は、上述の場合と同様に、受信したパラメータ値に対応した無線レートをフロー制御閾値計算部１１６に送信する。
【００８２】
フロー制御閾値計算部１１６は、上述の場合と同様に、式（１）からフロー制御閾値を算出し、バッファコントローラ１１３に送信する。
【００８３】
バッファコントローラ１１３は、上述の場合と同様に、受信したフロー制御閾値に基づいてデータバッファ１１２を監視して、フロー制御コントローラ１１４を制御してフロー制御によりデータサーバ４のデータ送信を制御する。
【００８４】
このようにすることで、移動端末３からの要求や、移動端末３の受信状態、移動端末３と移動端末試験装置１との通信プロトコルの変更、などに応じて、試験中であっても自動的に無線レートを変更し、それに対応したフロー制御閾値に変更することができる。
【００８５】
本実施形態においては、移動端末試験装置１と制御装置２が分かれた構成としたが、制御装置２を移動端末試験装置１と一体とした構成としてもよい。
【００８６】
また、本実施形態においては、チャネルコーディング部１０１がデータバッファ１１２からデータを読み出す構成としたが、データバッファ１１２や図示しないブロックが制御部１２からバラメータ値を受けて目標の無線レートを算出し、算出した無線レートに基づいてデータバッファ１１２からチャネルコーディング部１０１へデータを出力させる構成としてもよい。
【００８７】
このように、上述の実施形態では、データサーバ４と接続され、データサーバ４の送信データを移動端末３に送信して移動端末３との間のスループット計測の試験を行なう場合、移動端末３との間の目標のスループットに対応したフロー制御閾値を計算してバッファコントローラ１１３に送信するフロー制御閾値計算部１１６を備える。
【００８８】
これにより、移動端末３との間の目標のスループットに応じてデータバッファ１１２のフロー制御閾値が計算される。このため、移動端末３との間のスループットの低下や不安定化を防ぐことができる。また、移動端末３との間の目標のスループットに合わせてデータサーバ４の設定を変更する必要が無くなり、試験環境構築の負荷を軽減させることができる。
【００８９】
また、制御部１２が移動端末３の無線信号の受信状態を検出して、移動端末３の無線信号の受信状態に応じて移動端末３との間のスループットを変更させ、フロー制御閾値計算部１１６は、変更された移動端末３との間のスループットに応じて、フロー制御閾値を変更する。
【００９０】
これにより、移動端末３の無線信号の受信状態に応じて移動端末３との間のスループットが変更され、変更されたスループットに応じてフロー制御閾値が変更される。このため、移動端末３との間のスループットの低下や不安定化を防ぐことができる。
【００９１】
また、制御部１２は、移動端末３との送受信の周波数帯域が同一帯域で行なわれるＴＤＤ（Time Division Duplex）などの場合、移動端末３からの無線信号の受信状態により移動端末３の無線信号の受信状態を検出するとよい。
【００９２】
また、制御部１２が制御装置２から移動端末３との間のスループットを変更させるパラメータ値を受信すると、変更要求に従って移動端末３との間のスループットを変更させ、フロー制御閾値計算部１１６は、変更された移動端末３との間のスループットに応じて、フロー制御閾値を変更する。
【００９３】
これにより、制御装置２への操作により移動端末３との間のスループットが変更され、変更されたスループットに応じてフロー制御閾値が変更される。このため、移動端末３との間のスループットの低下や不安定化を防ぐことができる。
【００９４】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００９５】
１  移動端末試験装置
２  制御装置
３  移動端末
４  データサーバ
１０  無線信号処理部
１１  データ通信制御部
１２  制御部
１１２  データバッファ
１１３  バッファコントローラ
１１４  フロー制御コントローラ
１１６  フロー制御閾値計算部
【図１】
2017112517.tif 000003
【図２】
2017112517.tif 000004